(57)【要約】【課題】折畳み性に影響を与えずに音声を聞き取り易くした折畳み式携帯電話機を提供する。【解決手段】中間部分の連結部を中心に折り畳まれる二つの筐体を備え、一方の筐体１２において折畳み時に他の筐体と対向する面２２にスピーカ１８が設置されている折畳み式携帯電話機であって、対向面のうちスピーカを囲む部分が開口し、該開口の内側に配置される耳当てパッド１７と、耳当てパッドを対向面２２から突出する方向に付勢する付勢部材６とを備え、耳当てパッドは、付勢方向と反対方向に押圧された際に一方の筐体内に収納される。【選択図】　　　　図３
2004120091.tif 000002
【特許請求の範囲】
【請求項１】
中間部分の連結部を中心に折り畳まれる二つの筐体を備え、一方の筐体において折畳み時に他の筐体と対向する面にスピーカが設置されている折畳み式携帯電話機であって、
前記対向面のうち前記スピーカを囲む部分が開口し、
該開口の内側に配置される耳当てパッドと、
前記耳当てパッドを前記対向面から突出する方向に付勢する付勢部材と
を備え、
前記耳当てパッドは、前記付勢方向と反対方向に押圧された際に前記開口から前記一方の筐体内に収納されることを特徴とする折畳み式携帯電話機。
【請求項２】
前記スピーカは、前記耳当てパッドと接続されていることを特徴とする請求項１に記載の折畳み式携帯電話機。
【請求項３】
前記開口の縁部に接続される外枠と、前記外枠の内側に位置し前記耳当てパッドを支持する支持部材とをさらに備え、
前記付勢部材は、前記外枠の内縁と前記支持部材の外縁との間に全周にわたって設けられた可撓性隔膜からなることを特徴とする請求項１又は２に記載の折畳み式携帯電話機。
【請求項４】
前記付勢部材は、板バネであって、
該板バネの端部は、前記耳当てパッドの背面側と前記一方の筐体の内面の所定位置とにそれぞれ接続されていることを特徴とする請求項１又は２に記載の折畳み式携帯電話機。
【発明の詳細な説明】
【０００１】
【発明の属する技術分野】
本発明は、折畳み式携帯電話機に関するものである。
【０００２】
【従来の技術】
携帯電話機には、通話のためのマイクとスピーカが設けられている。特に、折畳み式の携帯電話の場合、折畳み性を確保するため、マイクとスピーカが筐体表面から突出しないような構造になっている（例えば、特許文献１参照）。
【０００３】
【特許文献１】
特開２００１−１３６２４８号公報（図２）
【０００４】
【発明が解決しようとする課題】
しかしながら、上記した従来の携帯電話の場合、スピーカが単なる孔であるため耳を充分に覆うことができず、周囲の雑音を遮蔽できないので、屋外での通話時等に音声が聞き取り難いという問題があった。
【０００５】
本発明は、上記の課題を解決するためになされたものであり、折畳み性に影響を与えずに音声を聞き取り易くした折畳み式携帯電話機の提供を目的とする。
【０００６】
【課題を解決するための手段】
上記目的を達成するために、請求項１記載の本発明は、中間部分の連結部を中心に折り畳まれる二つの筐体を備え、一方の筐体において折畳み時に他の筐体と対向する面にスピーカが設置されている折畳み式携帯電話機であって、前記対向面のうち前記スピーカを囲む部分が開口し、該開口の内側に配置される耳当てパッドと、前記耳当てパッドを前記対向面から突出する方向に付勢する付勢部材とを備え、前記耳当てパッドは、前記付勢方向と反対方向に押圧された際に前記開口から前記一方の筐体内に収納されることを特徴とする。
このようにすると、スピーカの周囲に耳当てパッドが設けられているので、耳に耳当てパッドを密着させれば、スピーカの音声が外部から遮蔽されて聞き取り易くなる。又、耳当てパッドが一方の筐体の対向面から突出するので、耳に耳当てパッドを密着させ易く、より遮蔽効果が大きくなる。さらに、耳当てパッドが突出しているので、スピーカの位置を認識しやすい。
又、折畳み時に他の筐体に押圧された耳当てパッドが一方の筐体内に収納されるので、耳当てパッドが出っ張ることがなく、各筐体がほぼ隙間なく重なり合うので、折畳みが確実に行える。
【０００７】
請求項２記載の折畳み式携帯電話機において、前記スピーカは、前記耳当てパッドと接続されていることを特徴とする。
このようにすると、耳当てパッドの突出に同調してスピーカも突出するので、スピーカが耳に近づき、より聞き取り易くなる。
【０００８】
請求項３記載の折畳み式携帯電話機は、前記開口の縁部に接続される外枠と、前記外枠の内側に位置し前記耳当てパッドを支持する支持部材とをさらに備え、前記付勢部材は、前記外枠の内縁と前記支持部材の外縁との間に全周にわたって設けられた可撓性隔膜からなることを特徴とする。
このようにすると、可撓性隔膜が外枠と支持部材との間の可動部分を密閉することができ、携帯電話の内部に異物が侵入することを防止できるとともに、筐体内部のスピーカの音が外枠と支持部材との間から漏れることを抑制できる。
【０００９】
請求項４記載の折畳み式携帯電話機において、前記付勢部材は、板バネであって、該板バネの端部は、前記耳当てパッドの背面側と前記一方の筐体の内面の所定位置とにそれぞれ接続されていることを特徴とする。
【００１０】
【発明の実施の形態】
本発明の一実施形態の折畳み式携帯電話機を図１を参照して以下に説明する。本実施形態の折畳式携帯電話機は、図１に示すように、その外殻を構成する第１筐体（一方の筐体）１２および第２筐体（他の筐体）１３を有している。第２筐体１３は第１筐体１２の下端部の連結部１５において第１筐体１２に対し折り畳まれるように回動可能に連結されている。
【００１１】
第１筐体１２は、厚さの薄い略直方体形状をなしており、閉状態で第２筐体１３に対向することになる厚さ方向における一側の面（表面）２２に、液晶素子等からなる表示画面２３が設けられている。
【００１２】
第１筐体１２の上端部（連結部１５と反対側の端部）における表面２２には、第１筐体１２の横幅よりわずかに小さく、略矩形状の耳当てパッド１７が設けられ、耳当てパッド１７は表面２２から突出するようになっている（図１（ｂ）参照）。そして、耳当てパッド１７の中心の凹み部分にスピーカ（の孔）１８が設置されている。このように、スピーカの周囲に耳当てパッド１７が設けられているので、耳に耳当てパッド１７を密着させれば、スピーカの音声が外部から遮蔽されて聞き取り易くなる。又、耳当てパッド１７が表面２２から突出するので、耳に耳当てパッドを密着させ易く、より遮蔽効果が大きくなる。
【００１３】
第２筐体１３も、厚さの薄い略直方体形状をなしており、閉状態で第１筐体１２に対向する厚さ方向における一側の面２５に、主な操作入力が行われる操作入力部２６が設けられている。
【００１４】
操作入力部２６は、連結部１５側に、面２５に沿う方向に若干な角度で傾動可能なセンターキー２７を有している。このセンターキー２７は、上下左右方向に突出する十字形状をなしており、面２５に沿って上下左右に傾動可能とされ、しかも面２５に垂直な方向にも移動可能とされている。そして、これらの傾動および垂直移動で操作入力が行われるようになっている。
【００１５】
また、操作入力部２６は、センターキー２７の両側に設けられた入力キー２９，３０と、センターキー２７の下側に左右に並んで設けられた、入力された電話番号での発信を実行等するための通話入力キー３２、入力をキャンセル等するためのクリア入力キー３３および通話を切断等するための通話切断入力キー３４を有している。
【００１６】
操作入力部２６は、さらに、これらの下側に、左右３列、上下４段の合計１２個の数字、かなおよび英字等をモードに応じて入力するための入力キー４１〜５２を有している。
【００１７】
そして、第２筐体１３の面２５の連結部１５に対し反対側の端部には、音声を検出するマイク５３が設けられている。
【００１８】
以上により、本実施形態の折畳式携帯電話機は、中間部分の連結部１５で折り畳まれるとともに、折畳中心である連結部１５に対し一側に表示画面２３が設けられ、連結部１５に対し逆側に操作入力部２６が設けられて、折畳時にこれら表示画面２３および操作入力部２６が対向状態となる。
【００１９】
図２は、本実施形態の折畳式携帯電話機を折畳む際の状態を示す側面図である。この図において、折畳式携帯電話機を折畳む前は、第１筐体１２の表面２２から耳当てパッド１７が突出している（図２（ａ））。そして、第１筐体１２を第２筐体１３と対向させてゆき、第２筐体１３により耳当てパッド１７を押圧すると、耳当てパッド１７は表面２２と直交する方向に退き、第１筐体１２の設けた図示しない開口から第１筐体１２内に収納される。これにより、耳当てパッド１７と第１筐体１２とは面一（同じ面上にあること）となるので、耳当てパッド１７が第１筐体１２から出っ張ることがなく、第１筐体１２は第２筐体１３とほぼ隙間なく重なり合うので、折畳みが確実に行える（図２（ｂ））。
【００２０】
次に、耳当てパッド１７の断面構造について、図３を参照して説明する。この図に示すように、第１筐体１２の上端部における表面２２には、耳当てパッド１７の外形よりわずかに大きい矩形状の開口が形成され、該開口の内側に耳当てパッド１７が設置されている（図３（ａ））。耳当てパッド１７は、耳と密着し易い柔軟性のある素材、例えばスポンジ素材等からなり、上部から下部にいくにつれて肉厚となっている。又、耳当てパッド１７の中心には凹み部１７Ａが形成されている。そして、凹み部１７Ａの直下の位置における耳当てパッド１７の内部には、スピーカ１８が埋設されていて、耳当てパッド１７中心に穿設された図示しないスピーカ孔から音声を聞くことができる。
【００２１】
耳当てパッド１７の背面には、耳当てパッド１７よりわずかに小さい外寸の内枠（支持部材）４が接続されていて、耳当てパッド１７を支持している。又、上記開口の内面側における縁部には、外枠２が接続されていて、外枠２の内寸は上記開口とほぼ同一寸法となっている。そして、外枠２の内縁と内枠４の外縁との間には全周にわたって可撓性隔膜（付勢部材）６が設けられ、外枠２と内枠４とを接続している。
【００２２】
この可撓性隔膜６は、例えば弾性を有するシリコンゴムや熱可塑性エラストマ等からなり、外力が加わらない状態では、外枠２と内枠４との相対位置が図３（ａ）の位置になるよう、第１筐体１２の内側から外側へ向かう方向（図の右から左）へ内枠４を付勢している。これにより、折畳み式携帯電話機を開いて通話等をする際には、耳当てパッド１７が表面２２から突出するようになっている。一方、耳当てパッド１７を表面２２の直交方向に押し込むと、可撓性隔膜６は第１筐体１２の内側（図の右）へ撓み、内枠４及び耳当てパッド１７が開口から第１筐体１２の内部へ収納される。そして、再度携帯電話機を開くと、上記した可撓性隔膜６の付勢力により、内枠４及び耳当てパッド１７が表面２２から突出する。
【００２３】
図４は、外枠２、内枠４、及び可撓性隔膜６の構造を示す。なお，本実施形態では、外枠２、内枠４、可撓性隔膜６は、上記したシリコンゴムや熱可塑性エラストマ等により一体成形され、これらは一体化されている。
【００２４】
この図において、外枠２及び内枠４は、それぞれ角部が丸みを帯びた略矩形状をなし、内枠４の外縁４Ａと外枠２の内縁２Ａの間に全周にわたって可撓性隔膜６が形成されている（図４（ａ））。又、外枠２及び内枠４は肉厚になっていて、適度の剛性を有している。一方、可撓性隔膜６は外枠２及び内枠４より薄肉で、弾性を有する。そして、外力が加わらない状態で、外枠２と内枠４の外面（図３（ｂ）の左側の面）は平行になっていて、内枠４が外枠２からわずかに突出している。
【００２５】
一方、内枠４の肉厚は一定であるが、外枠２の肉厚は、上辺が最も薄く、下辺が最も厚い。そして、側辺の肉厚は上から下へいくにつれて厚くなり、上辺及び下辺とそれぞれ繋がるようになっている。従って、外枠２の下辺が内面（図３（ｂ）の右側の面）側に突出している。このようにすると、外枠２と内枠４の内面側にそれぞれ可撓性隔膜６０、６１を形成させる場合に、下側の可撓性隔膜６１を上側の可撓性隔膜６０より長くすることができるので、その分だけ撓む時の可動距離も長くなる。つまり、前記図３（ｂ）において、耳当てパッド１７の下部の方が上部より肉厚な分だけ、収納時の移動量も大きくなるが、下側の可撓性隔膜６１を長くすることで、その移動量に見合った可撓性隔膜の可動距離を確保することができる。又、可撓性隔膜を用いることで、外枠と内枠との間の可動部分を密閉することができ、携帯電話の内部に異物が侵入することを防止できるとともに、筐体内部のスピーカの音が外枠と内枠との間から漏れることを抑制できる。
【００２６】
本発明の折畳み式携帯電話機は、以上に述べた実施形態に限定されない。例えば上記実施形態では、可撓性隔膜によって耳当てパッドを付勢したが、例えばバネによって付勢することも可能である。この場合、バネとしてコイルバネ、板バネ等を用いることができるが、例えば板バネの場合、前記図３の可撓性隔膜に代えて、開口上端縁近傍に板バネの一端部を固定し、他端を耳当てパッドの背面に固定することで、耳当てパッドを押圧した際に、耳当てパッドの上側の移動量を少なく、耳当てパッドの下側の移動量を大きくすることができる。
【００２７】
又、スピーカを耳当てパッド内に埋設せずに別体とし、スピーカは筐体に固定し、耳当てパッドのみを突出させるようにしてもよい。又、耳当てパッドの支持部材は上記した枠形状でなくともよい。
【００２８】
【発明の効果】
以上詳述したように、本発明によれば、スピーカの周囲に耳当てパッドが設けられているので、耳に耳当てパッドを密着させれば、スピーカの音声が外部から遮蔽されて聞き取り易くなる。又、耳当てパッドが一方の筐体の対向面から突出するので、耳に耳当てパッドを密着させ易く、より遮蔽効果が大きくなる。さらに、耳当てパッドが突出しているので、スピーカの位置を認識しやすい。
又、折畳み時に他の筐体に押圧された耳当てパッドが一方の筐体内に収納されるので、耳当てパッドが出っ張ることがなく、各筐体がほぼ隙間なく重なり合うので、折畳みが確実に行える。
【図面の簡単な説明】
【図１】本発明の一実施形態の折畳み式携帯電話機を示すもので、（ａ）は正面図、（ｂ）は側面図である。
【図２】折畳み式携帯電話機を折畳む状態を示すもので、（ａ）は折畳み開始時、（ｂ）は折畳み完了時を示す図である。
【図３】折畳み式携帯電話機を側面から見たときの、耳当てパッドを含む部分断面図であり、（ａ）は外力が加わらない状態、（ｂ）は耳当てパッドを押圧した状態を示す図である。
【図４】外枠２、内枠４、及び可撓性隔膜６の一体構造を示すもので、（ａ）は正面図、（ｂ）は側面図である。
【符号の説明】
２　　　　　　　　　外枠
４　　　　　　　　　支持部材（内枠）
６、６０、６１　　　付勢部材（可撓性隔膜）
１２　　　　　　　　一方の筐体
１３　　　　　　　　他の筐体
１５　　　　　　　　連結部
１７　　　　　　　　耳当てパッド
１８　　　　　　　　スピーカ
２２　　　　　　　　一方の筐体の対向面（表面）
【図１】
2004120091.tif 000003
【図２】
2004120091.tif 000004
【図３】
2004120091.tif 000005
【図４】
2004120091.tif 000006